【手続補正書】
【提出日】平成27年12月14日(2015.12.14)
【手続補正１】
【補正対象書類名】特許請求の範囲
【補正対象項目名】全文
【補正方法】変更
【補正の内容】
【特許請求の範囲】
【請求項１】
アダプティブＨＴＴＰストリーミングを利用し、連続した複数のストリーム要素（８４）を有するメディアストリームの伝送を制御するためのメディアクライアントにおける方法であって、
‐前記複数のストリーム要素（８４）のうちの最初の要素（９２）を示す、前記メディアストリームのメディア記述（１００）を取得するステップ（３２）と、
‐前記最初の要素（９２）を求めるリクエストを送信するステップ（３４）と、
‐前記メディアストリームの伝送のためのセッションを制御するためのセッション制御手続きを開始するステップ（３６）と、を有し、
前記最初の要素（９２）を求める前記リクエストを送信するステップ（３４）は、前記セッション制御手続きの結果を受信する前に実行されることを特徴とする方法。
【請求項２】
前記セッション制御手続きは、
‐前記メディアストリームに関連付けられたセッション制御のためのソースを示すリソースロケータを取得するステップと、
‐セッション制御のための前記ソースとともに前記セッション制御手続きを開始するためのリクエストを送信するステップとを含むことを特徴とする請求項１に記載の方法。
【請求項３】
前記メディア記述（１００）は、前記セッション制御手続きにおけるセッションパラメータを特定するための少なくとも１つの情報要素を含むか、当該少なくとも１つの情報要素に関連付けられることを特徴とする請求項１又は２に記載の方法。
【請求項４】
前記セッション制御手続きは、
‐前記セッション制御手続きについてのセッション制御レスポンスを受信するステップと、
‐前記セッション制御レスポンスの受信に応じて、前記複数のストリーム要素のうちの後続の要素（９４）を求めるリクエストを送信するステップとを含むことを特徴とする請求項１乃至３の何れか１項に記載の方法。
【請求項５】
前記セッション制御レスポンスは、前記セッションを特定するパラメータと、メディアソースの表示と、メディア記述とのうちの少なくとも１つを示すことを特徴とする請求項４に記載の方法。
【請求項６】
前記セッション制御手続きはリソース予約を含み、前記セッションを特定する前記パラメータは許可されたサービス品質を示すことを特徴とする請求項５に記載の方法。
【請求項７】
前記後続の要素のためのメディアソースは複数のメディアソースから選択され、前記複数のメディアソースの各メディアソースは前記セッションを特定する異なるパラメータに関連付けられることを特徴とする請求項５又は６に記載の方法。
【請求項８】
前記セッションを特定する前記パラメータは、前記後続の要素（９４）を求める前記リクエストに含まれることを特徴とする請求項５乃至７の何れか１項に記載の方法。
【請求項９】
前記メディア記述は複数の表現記述を含み、各表現記述は前記メディアストリームの異なる表現と、関連付けられたメディアソースとを示し、前記関連付けられたメディアソースの少なくとも１つは前記メディア記述に基づいて選択され、前記最初の要素（９２）を求める前記リクエストに含まれるか、前記複数のストリーム要素（８４）のうちの後続の要素（９４）を求めるリクエストに含まれることを特徴とする請求項１乃至８の何れか１項に記載の方法。
【請求項１０】
メディアソースとセッション制御のためのソースとのうちの少なくとも１つは前記セッションに固有であることを特徴とする請求項１乃至９の何れか１項に記載の方法。
【請求項１１】
前記最初の要素（９２）を求める前記リクエストは前記セッション制御手続きの開始前又は開始と同時に送信されることを特徴とする請求項１乃至１０の何れか１項に記載の方法。
【請求項１２】
アダプティブＨＴＴＰストリーミングを利用し、連続した複数のストリーム要素（８４）を有するメディアストリームの伝送を制御するための方法であって、
前記メディアクライアント（４８）によって実行される請求項１乃至１１の何れか１項に記載の方法の各ステップと、
制御エンティティ（２４）が、前記メディアストリームを前記セッション制御手続きにおける前記セッションに関連付けるステップ（３８）と、
ポリシー行使ポイントが、前記セッションの制御ルールに従って前記複数のストリーム要素のうちの後続の要素（９４）の伝送を制御するステップ（４０）とを有することを特徴とする方法。
【請求項１３】
送信部（５２）及び受信部（５４）に結合される制御部（５０）を備えるメディアクライアント（４８）であって、
前記制御部（５０）は、アダプティブＨＴＴＰストリーミングを利用し、連続した複数のストリーム要素（６０）を有するメディアストリームの前記受信部（５４）への伝送を制御するように適合され、
前記制御部（５０）は、前記複数のストリーム要素（６０）のうちの最初の要素（６４）を示す、前記メディアストリームのメディア記述（６２）を取得するようにさらに適合され、
前記制御部（５０）は、前記送信部（５２）による前記最初の要素（６４）を求めるリクエスト（６６）の送信を開始し、前記メディアストリームの伝送のためのセッションを制御するためのセッション制御手続きを開始するように適合され、
前記送信部（５２）は、前記セッション制御手続きの結果を受信する前に前記最初の要素（９２）を求める前記リクエストを送信するように適合されることを特徴とするメディアクライアント。
【請求項１４】
前記メディアクライアントは請求項１乃至１１の何れか１項に記載の方法を実行するように適合されることを特徴とする請求項１３に記載のメディアクライアント。
【請求項１５】
アダプティブＨＴＴＰストリーミングを利用し、連続した複数のストリーム要素（８４）を有するメディアストリームの伝送を、クライアントからの前記複数のストリーム要素を求めるリクエスト（８６）に応じて制御する制御部（８２）を有するメディアサーバ（８０）であって、
前記複数のストリーム要素（８４）を送信するように適合された送信部（８８）と、
前記複数のストリーム要素（８４）のうちの最初の要素（９２）を求めるリクエスト（８６）であって、前記最初の要素（９２）を示すリクエストを受信し、前記メディアストリームの伝送のためのセッションを制御するためのセッション制御手続きの結果を受信し、前記複数のストリーム要素（８４）のうちの後続の要素（９４）を求める別のリクエストを受信するための受信部（９０）であって、前記セッション制御手続きの前記結果を受信する前に前記最初の要素（９２）を求める前記リクエスト（８６）を受信するようにさらに適合された受信部（９０）とを備え、
前記制御部（８２）は前記送信部（８８）及び前記受信部（９０）に結合され、前記セッション制御手続きの前記結果に基づいて前記後続の要素（９４）の送信を制御するように適合されることを特徴とするメディアサーバ。
【請求項１６】
前記送信部（８８）は、前記複数のストリーム要素のうちの前記最初の要素（９２）のためのメディアソースを示す、前記メディアストリームのメディア記述（１００）を前記クライアント（４８）へ送信するように適合されることを特徴とする請求項１５に記載のメディアサーバ。
【請求項１７】
処理部（１０２）は、複数の表現記述を有する最初のメディア記述（２５４）を取得するように適合され、各表現記述は前記メディアストリームの異なる表現を示し、前記処理部（１０２）は、前記複数の表現記述のうちの少なくとも１つと、当該少なくとも１つの表現記述のメディアソースとを削除又は変更して、変更されたメディア記述（２６４）を生成するようにさらに適合されることを特徴とする請求項１６に記載のメディアサーバ。
【請求項１８】
前記メディアサーバは請求項１乃至１１の何れか１項に記載の方法を実行するように適合されることを特徴とする請求項１５乃至１７の何れか１項に記載のメディアサーバ。
【請求項１９】
アダプティブＨＴＴＰストリーミングを利用し、連続した複数のストリーム要素（８４）を有するメディアストリームの伝送を、クライアントからの前記複数のストリーム要素を求めるリクエスト（８６）に応じて制御するためのメディアサーバにおける方法であって、
前記複数のストリーム要素のうちの最初の要素（９２）を求めるリクエストであって、前記最初の要素（９２）を示すリクエストを受信するステップ（１１０）と、
前記示された最初の要素（９２）を送信するステップ（１１２）と、
前記メディアストリームの伝送のためのセッションを制御するためのセッション制御手続きの結果を受信するステップ（１１４）であって、前記最初の要素（９２）を示す前記リクエストを受信するステップ（１１０）は前記セッション制御手続きの前記結果を受信する前に実行される、ステップ（１１４）と、
前記複数のストリーム要素のうちの後続の要素（９４）を求める別のリクエストを受信するステップ（１１６）と、
前記セッション制御手続きの前記結果に基づいて前記後続の要素（９４）の送信を制御するステップ（１１８）とを有することを特徴とする方法。
【請求項２０】
アダプティブＨＴＴＰストリーミングを利用し、メディアサーバからの連続した複数のストリーム要素を有するメディアストリームの伝送のためのメディアクライアントとのセッション制御手続きのための制御エンティティ（２００）であって、
前記メディアストリームの伝送のためのセッションを制御するためのセッション制御手続きのシグナリングを受信するための受信部（２０２）と、
前記シグナリングを終了するための制御部（２０６）であって、前記受信部（２０２）に結合され、前記メディアストリームを前記セッション制御手続きにおける前記セッションに関連付ける（３８）ように適合された制御部（２０６）と、
前記セッションの制御ルールに従って前記複数のストリーム要素のうちの後続の要素の伝送の制御を開始する命令をポリシー行使ポイントへ送信するための、前記制御部（２０６）に結合された送信部（２１８）とを備えることを特徴とする制御エンティティ。
【請求項２１】
前記制御エンティティは、請求項１乃至１１の何れか１項に記載の方法を実行するように適合されることを特徴とする請求項２０に記載の制御エンティティ。
【請求項２２】
アダプティブＨＴＴＰストリーミングを利用し、メディアサーバからの連続した複数のストリーム要素を有するメディアストリームの伝送のためのセッションを制御するためにメディアクライアントとのセッション制御手続きを実行するための制御エンティティ（２００）における方法であって、
前記メディアストリームの伝送のためのセッションを制御するためのセッション制御手続きのシグナリングを受信するステップ（２４０）と、
前記シグナリングを終了し、前記メディアストリームを前記セッション制御手続きにおける前記セッションに関連付けるステップ（２４２）と、
前記セッションの制御ルールに従って、前記複数のストリーム要素のうちの後続の要素の伝送の制御を開始する命令をポリシー行使ポイントへ送信するステップ（２４４）とを有することを特徴とする方法。